(57)【要約】      （修正有）【課題】軽量小型で嵩張らず、コインの出し入れも容易で、かつ収納したコインが容易に飛び出ない携帯可能な小物入れを提供する。【解決手段】独立気泡の発泡性を有するゴムシートとその表裏に貼着された布地とを備えた弾力性を有するシート材を２枚合わせて周囲を結合して袋体１６を形成し、且つ袋体１６は１又は複数の仕切りによって分割された複数の個室１７、１８を有し、各個室１７、１８の表側に、自然状態では収納するコインの直径より小さく、引き延ばし状態ではコインの直径より大きな開口部となる円形孔１９、２０を設けた。【選択図】図１
0003209038.tif 000002
【実用新案登録請求の範囲】
【請求項１】
独立気泡の発泡性を有するゴムシートとその表裏に貼着された布地とからなる弾力性を有するシート材を２枚合わせて周囲が結合されて形成された袋体を用いる携帯可能な小物入れであって、
前記袋体は１又は複数の仕切りによって分割された複数の個室を有し、前記各個室の表側に、自然状態では収納するコインの直径より小さく、引き延ばし状態では前記コインの直径より大きな開口部となる円形孔を設けたことを特徴とする携帯可能な小物入れ。
【請求項２】
請求項１記載の携帯可能な小物入れにおいて、前記袋体の裏側に一方が開口されたカード収納部を設けたことを特徴とする携帯可能な小物入れ。
【請求項３】
請求項２記載の携帯可能な小物入れにおいて、前記カード収納部は正面視して長方形となって、該カード収納部の開口は、前記長方形の短辺と平行で、前記長方形の一側に偏って形成されていることを特徴とする携帯可能な小物入れ。
【請求項４】
請求項１記載の携帯可能な小物入れにおいて、前記袋体は長円形状となって、直交する２つの前記仕切りで４等分されて４つの前記個室を形成することを特徴とする携帯可能な小物入れ。
【請求項５】
請求項１〜４のいずれか１記載の携帯可能な小物入れにおいて、前記袋体は周囲が、接合及び縫合によって結合されていることを特徴とする携帯可能な小物入れ。
【請求項６】
請求項１〜５のいずれか１記載の携帯可能な小物入れにおいて、前記袋体の外側に前記布地が露出していることを特徴とする携帯可能な小物入れ。
【請求項７】
請求項１〜６のいずれか１項に記載の携帯可能な小物入れにおいて、一部又は全部の前記個室の表側の色彩が異なることを特徴とする携帯可能な小物入れ。
【考案の詳細な説明】
【技術分野】
【０００１】
本考案は、硬貨（小銭）は当然として、折り畳んだ紙幣、その他の小物を入れることが可能な携帯可能な小物入れに関する。
【背景技術】
【０００２】
小銭は財布（特許文献１参照）の中に入れると嵩張るし、財布の中には通常高額な紙幣も入っているので、小銭を収納する小銭入れを別に用意することが一般に行われている。
例えば、特許文献２には小銭入れが提案され、この小銭入れは、箱状の本体ケーシングを有し、この本体ケーシングには、一端側に形成されたコイン収容室と、コイン収容室に対しコインをコイン径方向に出し入れするために本体ケーシングの他側面部に形成された出し入れ口と、コイン収容室と出し入れ口との間でコインを移動させるために本体ケーシングの上面部に形成された指操作用スリットと、出し入れ口を開閉自在に塞ぐためにコイン収容室内に配置されて上下に弾性変形する板バネ部材とを有している。
【先行技術文献】
【特許文献】
【０００３】
【特許文献１】実用新案登録第３１５０９３９号公報
【特許文献２】実用新案登録第３１７６０６９号公報
【考案の概要】
【考案が解決しようとする課題】
【０００４】
しかしながら、特許文献２記載の小銭入れは、本体ケーシングが硬質のプラスチック等で形成されており、小銭の収納量に関わらず同じ大きさをしているので、ポケット等に入れた場合嵩張るという問題がある。
また、構造も複雑で、製造コストが高く、場合によっては入れた硬貨が本体ケーシングから飛び出るという問題もある。
【０００５】
本考案は、かかる事情に鑑みてなされたもので、軽量小型で嵩張らず、コインの出し入れも容易で、かつ収納したコインが容易に飛び出ない携帯可能な小物入れを提供することを目的とする。
【課題を解決するための手段】
【０００６】
前記目的に沿う本考案に係る携帯可能な小物入れは、独立気泡の発泡性を有するゴムシートとその表裏に貼着された布地とからなる弾力性を有するシート材を２枚合わせて周囲が結合されて形成された袋体を用いる携帯可能な小物入れであって、
前記袋体は１又は複数の仕切りによって分割された複数の個室を有し、前記各個室の表側に、自然状態では収納するコインの直径より小さく、引き延ばし状態では前記コインの直径より大きな開口部となる円形孔を設けた。
【０００７】
本考案に係る携帯可能な小物入れにおいて、前記袋体の裏側に一方が開口されたカード収納部を設けるのが好ましい。
【０００８】
本考案に係る携帯可能な小物入れにおいて、前記カード収納部は正面視して長方形となって、該カード収納部の開口は、前記長方形の短辺と平行で、前記長方形の一側に偏って形成されているのが好ましい。
【０００９】
本考案に係る携帯可能な小物入れにおいて、前記袋体は長円形状となって、直交する２つの前記仕切りで４等分されて４つの前記個室を形成するのが好ましい。
【００１０】
本考案に係る携帯可能な小物入れにおいて、前記袋体は周囲が、接合及び縫合によって結合されているのがよい。
【００１１】
本考案に係る携帯可能な小物入れにおいて、前記袋体の外側に前記布地が露出しているのが好ましい。
【００１２】
そして、本考案に係る携帯可能な小物入れにおいて、一部又は全部の前記個室の表側の色彩が異なるのがよい。
【考案の効果】
【００１３】
本考案に係る携帯可能な小物入れは、独立気泡の発泡性を有するゴムシートとその表裏に貼着された布地とを備えた弾力性を有するシート材を２枚合わせて周囲を結合して袋体を形成し、且つ袋体は１又は複数の仕切りによって分割された複数の個室を有し、各個室の表側に、自然状態では収納するコインの直径より小さく、引き延ばし状態では、コインの直径より大きな開口部となる円形孔を設けているので、複数の種類のコインを分けて収納することができる。
そして、円形孔の直径は自然状態でコインの直径より小さいので、容易にコインが個室から抜け落ちない。
【００１４】
特に、本考案に係る携帯可能な小物入れにおいて、袋体の裏側に一方が開口されたカード収納部を設けた場合には、コインだけでなく、カードの収納もできる。
【００１５】
本考案に係る携帯可能な小物入れにおいて、カード収納部が正面視して長方形となって、カード収納部の開口が、長方形の短辺と平行で、長方形の一側に偏って形成されている場合には、収納したカードが抜け落ちない。
【００１６】
本考案に係る携帯可能な小物入れにおいて、袋体が長円形状となって、直交する２つの仕切りで４等分されて４つの個室を形成した場合には、各個室を有効に利用して複数種のコインを収納できる。
【００１７】
そして、本考案に係る携帯可能な小物入れにおいて、袋体の周囲が、接合及び縫合によって結合されている場合は、袋体は十分な強度を有する。
【００１８】
本考案に係る携帯可能な小物入れにおいて、袋体の外側に布地が露出している場合には、装飾性が増す。
【００１９】
そして、本考案に係る携帯可能な小物入れにおいて、一部又は全部の個室の表側の色彩が異なる場合は、収納するコインを外観より判断することができる。
【図面の簡単な説明】
【００２０】
【図１】本考案の第１の実施の形態に係る携帯可能な小物入れの正面図である。
【図２】同背面図である。
【図３】図２における矢視Ａ−Ａ’断面図である。
【図４】本考案の第２の実施の形態に係る携帯可能な小物入れの正面図である。
【図５】同背面図である。
【図６】図５における矢視Ｂ−Ｂ’断面図である。
【考案を実施するための形態】
【００２１】
続いて、添付した図面を参照しつつ、本考案を具体化した実施の形態につき説明し、本考案の理解に供する。
図１〜図３に示すように、本考案の第１の実施の形態に係る携帯可能な小物入れ１０は、ゴムシート１１とその表裏に貼着された布地（ジャージ）１２、１３とを備えた弾力性を有するシート材１４、１５を２枚合わせて周囲を結合して、角部が丸くなった正面視して長方形（矩形）の袋体１６を有している。そして、袋体１６は一つの仕切りによって分割された２つの個室１７、１８を有している。各個室１７、１８の表側に、自然状態では収納するコインの直径より小さく、引き延ばし状態では、コインの直径より大きな開口部となる円形孔１９、２０を設けている。この実施の形態において、個室は２つであったが、１又は３、４又はそれ以上の複数とすることもできる。
ここで、ゴムシート１１は独立気泡で発泡したクロロプレンゴム（通常、潜水服で使用されている）であるが、他の発泡性ゴムシートであっても使用できる（以下の実施の形態においても同じ）。
【００２２】
また、携帯可能な小物入れ１０を形成する袋体１６の裏側にカード収納部２２を設けている。このカード収納部２２はシート材１４、１５と同じく柔軟性、弾力性を有するシート材２３を袋体１６の裏側にその周囲を接合して形成され、上側に挿入するカードの幅より狭い開口部（開口）２１を有している。なお、開口部２１を横に広げた場合は、カードの横幅より広くなる。
また、カード収納部２２は正面視して長方形となって、カード収納部２２の開口部２１は、長方形の短辺と平行で、長方形の一側に偏って形成されている。
【００２３】
携帯可能な小物入れ１０の袋体１６は同一形状のシート材１４、１５、２３の周囲を接着剤等で接合した後、縁布２４を被せた状態で縫合し、しかも、縫糸２５を露出させ、デザイン性を高めている。この縁布２４には、シート材１４、１５と同一の材質のシート材又はゴムシートの外側面のみを布地としたシート材が使用される。そして、縁布２４はその両端部を内側に折り曲げて全体をＵ字状にしている。ここで、縁布に単なる布を用いてもよい。
また、袋体１６の上部中央にはリング状の吊り下げ紐２７が設けられ、バンド等にこの携帯可能な小物入れ１０を掛止できる。以上の構成から、袋体１６の外側に布地１２、１３が露出しているので、装飾性を高めることができる。吊り下げ紐２７は、袋体１６の角部に設けることもできる（図２に２点鎖線で示す）。
【００２４】
なお、図２において、袋体１６の幅ａは例えば７．５〜９ｃｍ、高さｂは例えば１０〜１３ｃｍ程度である。また、カード収納部を上下複数段に配置し、それぞれの開口部に段差を設けることもできる。
【００２５】
この携帯可能な小物入れ１０を使用する場合は、円形孔１９、２０からコインを入れる。一旦、個室１７、１８内にコインを入れると、円形孔１９、２０の直径はコインの直径より小さいので、外部に出ることはない。
また、カード収納部２２にキャシュカードやクレジットカード等のカードを、開口部２１を介して入れる。一旦カード収納部２２にカードを入れると、開口部２１の幅がカードの幅より狭いので、カードを落とすことがない。
【００２６】
続いて、図４〜図６を参照して、本考案の第２の実施の形態に係る携帯可能な小物入れ３０について説明する。
携帯可能な小物入れ３０は、表裏に配置された長円形状（又は楕円）のシート材３１、３２と、周囲が接合されたシート材３１、３２の端部を覆う縁布３３と、縁布３３とシート材３１、３２を縫合する装飾糸３４と、周囲が結合されたシート材３１、３２からなる袋体３５の上部に設けられた吊り下げ紐３６とを有している。
【００２７】
シート材３１、３２は、携帯可能な小物入れ１０で使用したシート材１４、１５と同一構成のものを使用するのが好ましい。
この袋体３５は、直交する２つの仕切り線（仕切り）３７、３７ａで４等分され、４つの個室３８〜４１を有している。各個室３８〜４１の上部位置には、自然状態でコインの直径より直径が小さい開口部となる円形孔４２〜４５が設けられ、円形孔４２〜４５を広げた状態で、コインを収納できる大きさとなっている。円形孔４２〜４５の直径は例えば１８ｍｍ程度であるが、シート材３１、３２が十分な弾力性を有するので、例えば直径が２６．５ｍｍ程度のコインでも収納できる（携帯可能な小物入れ１０でも同じ）。
【００２８】
この携帯可能な小物入れ３０の使用方法は、携帯可能な小物入れ１０と同様であるが、各個室に４種類のコインを個別に収納することもできる。また、外から見た個室４２〜４５の一部又は全部の表側又は両側の色彩を変えることもできる。
【符号の説明】
【００２９】
１０：携帯可能な小物入れ、１１：ゴムシート、１２、１３：布地、１４、１５：シート材、１６：袋体、１７、１８：個室、１９、２０：円形孔、２１：開口部、２２：カード収納部、２３：シート材、２４：縁布、２５：縫糸、２７：吊り下げ紐、３０：携帯可能な小物入れ、３１、３２：シート材、３３：縁布、３４：装飾糸、３５：袋体、３６：吊り下げ紐、３７、３７ａ：仕切り線、３８〜４１：個室、４２〜４５：円形孔
【図１】
0003209038.tif 000003
【図２】
0003209038.tif 000004
【図３】
0003209038.tif 000005
【図４】
0003209038.tif 000006
【図５】
0003209038.tif 000007
【図６】
0003209038.tif 000008